(57)【要約】【課題】濃淡バーナを有し、バーナの燃焼排気中のＣＯ濃度に応じてバーナの燃焼を禁止させる機能を備えた燃焼装置において、安全性および施工時の試運転やメンテナンスを行う際の使い勝手の向上を図る。【解決手段】開閉可能な蓋体を有する装置筐体１０と、濃炎孔および淡炎孔を有するバーナ１２と、バーナ１２の燃焼排気中のＣＯ濃度を検知するＣＯセンサ２７と、前記ＣＯ濃度が基準より高くなった場合にバーナ１２の燃焼を禁止させ、所定の解除指示がなされるまでバーナ１２を燃焼禁止状態で維持する燃焼禁止機能の実行部とを備え、前記燃焼禁止機能を有効にする通常モードと、前記燃焼禁止機能を無効にすることで、蓋体が開かれて装置筐体１０内へ流入する空気の量が増加し、前記淡炎孔からの燃焼排気中のＣＯ濃度が基準より高くなってもバーナの燃焼を禁止させないようにする検査モードとを選択的に切替可能なモード切替部を備えた。【選択図】図１
2015078781.tif 000002
【特許請求の範囲】
【請求項１】
開閉可能な蓋体を有する装置筐体と、濃炎孔および淡炎孔を有するバーナと、バーナの燃焼排気中のＣＯ濃度を検知するＣＯセンサと、前記ＣＯ濃度が基準より高くなった場合にバーナの燃焼を禁止させ、所定の解除指示がなされるまでバーナを燃焼禁止状態で維持する燃焼禁止機能の実行部とを備えた燃焼装置であって、
前記燃焼禁止機能を有効にする通常モードと、前記燃焼禁止機能を無効にすることで、蓋体が開かれて装置筐体内へ流入する空気の量が増加し、前記淡炎孔からの燃焼排気中のＣＯ濃度が基準より高くなってもバーナの燃焼を禁止させないようにする検査モードとを選択的に切替可能なモード切替部を備えた、燃焼装置。
【請求項２】
開閉可能な蓋体を有する装置筐体と、濃炎孔および淡炎孔を有するバーナと、バーナの燃焼排気中のＣＯ濃度を検知するＣＯセンサと、前記ＣＯ濃度が基準より高いＣＯ濃度異常となった回数が所定回数に達した場合にバーナの燃焼を禁止させ、所定の解除指示がなされるまでバーナを燃焼禁止状態で維持する燃焼禁止機能の実行部とを備えた燃焼装置であって、
前記ＣＯ濃度異常となった回数の計数を行う通常モードと、前記ＣＯ濃度異常となった回数の計数を行わないことで、蓋体が開かれて装置筐体内へ流入する空気の量が増加し、前記淡炎孔からの燃焼排気中のＣＯ濃度が基準より高くなってもバーナの燃焼を禁止させないようにする検査モードとを選択的に切替可能なモード切替部を備えた、燃焼装置。
【請求項３】
請求項１または２に記載の燃焼装置において、
通常モードと検査モードとの切替が、前記蓋体を開いた状態でのみ実行可能な構成とした、燃焼装置。
【請求項４】
請求項１から３のいずれかに記載の燃焼装置において、
室外の空気を給気管から装置筐体内へ取り込み、バーナの燃焼排気と共に燃焼室を通じて排気管から室外へ排出するように構成された、燃焼装置。
【発明の詳細な説明】
【技術分野】
【０００１】
本発明は、給湯器や室内暖房機などの燃焼装置、特に、バーナの燃焼排気中のＣＯ濃度に応じてバーナの燃焼を禁止させる機能を備えた燃焼装置に関する。
【背景技術】
【０００２】
給湯器や給湯暖房用熱源機などの燃焼装置において、排気通路内にバーナから放出された燃焼排気中のＣＯ濃度を検知するＣＯセンサを設け、ＣＯセンサにより検知されたＣＯ濃度が基準より高くなれば、バーナの燃焼を自動停止させるように構成したものが知られている（例えば、特許文献１から３参照）。
【０００３】
この種の燃焼装置に用いられるバーナとしては、従来、ブンゼンバーナなどの単一の炎孔を有するものが使用されていたが、ＮＯｘなどの環境負荷を低減させるため、理論空燃比よりガス濃度の低い淡混合ガスを噴出させる淡炎孔と、淡混合ガスよりガス濃度の高い濃混合ガスを淡炎孔の外側で噴出させる濃炎孔とを有するいわゆる濃淡バーナが使用されてきている。
【先行技術文献】
【特許文献】
【０００４】
【特許文献１】特開２００５−１４７４９８号公報
【特許文献２】特開２００８−２４９２９６号公報
【特許文献３】特開平７−１８０８３４号公報
【発明の概要】
【発明が解決しようとする課題】
【０００５】
ところで、図４に示すように、ブンゼンバーナを用いた燃焼装置では、排気通路等の閉塞によって燃焼室内への空気の供給量が減少し、バーナのガス濃度が高くなれば、それに従って燃焼排気中のＣＯ濃度も上昇するが、燃焼室内へ空気が過剰に供給されてガス濃度が低くなった場合には、燃焼排気中のＣＯ濃度は上昇しない。しかしながら、上記のような濃淡バーナを用いた燃焼装置では、ガス濃度が高くなった場合だけでなく、燃焼室内へ空気が過剰に供給されて、ガス濃度が低くなった場合でも、淡炎孔に形成される淡炎がリフトし、さらに濃炎のある外側へ広がって、淡炎上域の温度を低下させ、燃焼排気中のＣＯ濃度の上昇を招く虞がある。
【０００６】
それゆえ、例えば、強制給排気式の給湯器のように給気管を介して燃焼用空気を燃焼室に供給するものでは、施工時の試運転やメンテナンスを行うときに装置筐体の蓋体が開かれ、その開放部からも燃焼室内へ空気が流れ込む状態になると、バーナのガス濃度が低くなり、閉塞が生じていない場合でも、ＣＯ濃度が上昇する。また、施工時において、新設されたガス配管のパージ処理が不十分で、ガス配管中に空気が残存していると、同様にガス濃度が低下して、一時的にＣＯ濃度が上昇する。そのため、上述のように燃焼排気中のＣＯ濃度上昇に伴ってバーナの燃焼を禁止する燃焼装置では、意図せず作業が中断されてしまい、使い勝手が悪い。
【０００７】
本発明は、上記課題を鑑みてなされたものであり、その目的は、燃焼室内への空気の供給量が増加するに従って燃焼排気中のＣＯ濃度が上昇する濃淡バーナを有し、燃焼排気中のＣＯ濃度に応じてバーナの燃焼を禁止させる機能を備えた燃焼装置において、安全性および施工時の試運転やメンテナンスを行う際の使い勝手の向上を図ることにある。
【課題を解決するための手段】
【０００８】
本発明は、開閉可能な蓋体を有する装置筐体と、濃炎孔および淡炎孔を有するバーナと、バーナの燃焼排気中のＣＯ濃度を検知するＣＯセンサと、前記ＣＯ濃度が基準より高くなった場合にバーナの燃焼を禁止させ、所定の解除指示がなされるまでバーナを燃焼禁止状態で維持する燃焼禁止機能の実行部とを備えた燃焼装置であって、前記燃焼禁止機能を有効にする通常モードと、前記燃焼禁止機能を無効にすることで、蓋体が開かれて装置筐体内へ流入する空気の量が増加し、前記淡炎孔からの燃焼排気中のＣＯ濃度が基準より高くなってもバーナの燃焼を禁止させないようにする検査モードとを選択的に切替可能なモード切替部を備えたものである。
【０００９】
濃淡バーナを用いた燃焼装置の場合、燃焼室内に供給される空気が減少し、ガス濃度が高くなった場合だけでなく、燃焼室内に空気が過剰に供給されて、ガス濃度が低くなった場合においても、燃焼排気中のＣＯ濃度の上昇を招く虞がある。しかしながら、このものでは、通常モードが選択され、燃焼禁止機能が有効となっている場合、バーナの燃焼排気中のＣＯ濃度が基準値より高くなれば、バーナの燃焼が禁止されるが、検査モードが選択され、燃焼禁止機能が無効となっている場合には、バーナの燃焼排気中のＣＯ濃度が基準値より高くなっても、バーナの燃焼は禁止されない。これにより、施工時の試運転やメンテナンスを行う際に、意図せずバーナの燃焼が禁止されるのを防止できる。
【００１０】
また、本発明は、開閉可能な蓋体を有する装置筐体と、濃炎孔および淡炎孔を有するバーナと、バーナの燃焼排気中のＣＯ濃度を検知するＣＯセンサと、前記ＣＯ濃度が基準より高いＣＯ濃度異常となった回数が所定回数に達した場合にバーナの燃焼を禁止させ、所定の解除指示がなされるまでバーナを燃焼禁止状態で維持する燃焼禁止機能の実行部とを備えた燃焼装置であって、前記ＣＯ濃度異常となった回数の計数を行う通常モードと、前記ＣＯ濃度異常となった回数の計数を行わないことで、蓋体が開かれて装置筐体内へ流入する空気の量が増加し、前記淡炎孔からの燃焼排気中のＣＯ濃度が基準より高くなってもバーナの燃焼を禁止させないようにする検査モードとを選択的に切替可能なモード切替部を備えたものである。
【００１１】
濃淡バーナを用いた燃焼装置の場合、燃焼室内に供給される空気が減少し、ガス濃度が高くなった場合だけでなく、燃焼室内に空気が過剰に供給されて、ガス濃度が低くなった場合においても、燃焼排気中のＣＯ濃度の上昇を招く虞がある。しかしながら、このものでは、通常モードが選択されている場合、バーナの燃焼排気中のＣＯ濃度が基準値より高くなった回数（ＣＯ濃度異常となった回数）が所定回数に達すれば、バーナの燃焼を禁止するが、検査モードが選択された場合には、ＣＯ濃度異常となった回数の計数を行わないから、バーナの燃焼排気中のＣＯ濃度が基準値より高くなっても、バーナの燃焼は禁止されない。これにより、施工時の試運転やメンテナンスを行う際に、意図せずバーナの燃焼が禁止されるのを防止できる。
【００１２】
また、本発明は、上記燃焼装置において、通常モードと検査モードとの切替が、前記蓋体を開いた状態でのみ実行可能な構成としたものである。
このものでは、装置筐体の蓋体が開かれた状態でなければ上記モードの切替を行うことができないから、試運転やメンテナンスではない通常運転時に、バーナの燃焼禁止機能が無効にされるのを防止できる。
【００１３】
また、本発明は、上記燃焼装置において、室外の空気を給気管から装置筐体内へ取り込み、バーナの燃焼排気と共に燃焼室を通じて排気管から室外へ排出するように構成されたものである。
このものでは、通常運転時、バーナの燃焼用空気は給気管から装置筐体内へ取り込まれるが、試運転やメンテナンスを行うために蓋体が開かれた状態では、さらにその開放部からも多くの空気が装置筐体内へ流入するから、バーナの燃焼排気中のＣＯ濃度の増加が顕著にあらわれる。よって、上記モードの切替機能がより有用である。
【発明の効果】
【００１４】
以上のように、本発明によれば、通常モードを選択すれば、燃焼排気中のＣＯ濃度に応じてバーナの燃焼を禁止させることができる一方、検査モードを選択すれば、施工時の試運転やメンテナンスを行う際に、意図せずバーナの燃焼が禁止されるのを防止できるから、安全性および使い勝手が向上する。
【図面の簡単な説明】
【００１５】
【図１】図１は、本発明の実施の形態に係る燃焼装置の概略構成図である。
【図２】図２は、本発明の実施の形態に係る燃焼装置のモード切替制御を示す作動フローチャートである。
【図３】図３は、本発明の他の実施形態に係る燃焼装置のモード切替制御を示す作動フローチャートである。
【図４】図４は、ブンゼンバーナおよび濃炎バーナにおける燃焼排気中のＣＯ濃度と空燃比との関係を示すグラフである。
【発明を実施するための形態】
【００１６】
次に、上記した本発明を実施するための形態について、添付図面を参照しながら詳述する。
図１に示すように、本実施の形態に係る燃焼装置１は、室外の空気を給排気ファン１１によって給気管１０１から装置筐体１０内へ取り込み、さらにバーナ１２から放出された燃焼排気と共に燃焼室１００内へ導き、熱交換器１３の配設部を介して排気管１０２から再び室外へ排出するように構成された所謂強制給排気式の給湯器である。尚、図示しないが、装置筐体１０の正面部には、開閉可能なメンテナンス用の蓋体（以下、「前板」という）が設けられている。
【００１７】
給気管１０１は、一端が装置筐体１０に連結され、他端が室外に開放されている。また、排気管１０２は、一端が燃焼室１００の上部に連結され、他端が室外に開放されている。
【００１８】
燃焼室１００は、装置筐体１０の内部に所定の空間を存して画成されている。燃焼室１００の下部には、給排気ファン１１の吹出口が連結されており、燃焼室１００の内部空間は、給排気ファン１１の吸込口を介して装置筐体１０の内部空間に繋がっている。従って、給排気ファン１１を作動させると、室外の空気が給気管１０１から装置筐体１０内へ取り込まれ、さらに燃焼室１００の内部空間を通って、排気管１０２から室外へ排出される。
【００１９】
給排気ファン１１は、装置筐体１０内に組み込まれた制御回路２０からの指示を受けて駆動されるファンモータ１１０を備えており、このファンモータ１１０の回転数を調整することでバーナ１２に対する空気の供給量が増減される。また、図示しないが、ファンモータ１１０には、ファンモータ１１０の回転数を検知して制御回路２０に出力する回転数センサが設けられている。尚、給排気ファン１１の回転数は、ファンモータ１１０の回転数に対応する。
【００２０】
バーナ１２は、ガス配管３１から供給されるガスを燃焼室１００内へ噴出させる複数の炎孔１２０を有しており、燃焼室１００の下方位置に組み込まれている。炎孔１２０の近傍には、図示しないイグナイタから高電圧が印加されることで火花放電し、炎孔１２０から噴出するガスを着火させる点火プラグ１４と、炎孔１２０における燃焼炎の有無を検知するフレームロッド１５とが隣接設置されている。尚、図示しないが、炎孔１２０は、理論空燃比よりガス濃度の低い淡混合ガスを上方へ向けて噴出させる淡炎孔と、淡混合ガスよりガス濃度の高い濃混合ガスを淡炎孔の両側から上方へ向けて噴出させる濃炎孔とで構成されている。
【００２１】
ガス配管３１には、バーナ１２へのガスの供給を遮断可能な元ガス電磁弁２１と、バーナ１２へのガスの供給量を調整するためのガス比例弁２２とが設けられており、元ガス電磁弁２１が開かれた状態でガス比例弁２２の開度を調整することで、バーナ１２の燃焼量が増減される。
【００２２】
熱交換器１３は、一端が給水配管３２に接続され、他端が出湯配管３３に接続される吸熱管１３１と、吸熱管１３１に対して交差するように並設される複数の吸熱フィン１３２とで構成されており、燃焼室１００内の上方位置に組み込まれている。従って、給水配管３２から熱交換器１３へ供給される水は、バーナ１２から放出される燃焼排気との熱交換によって吸熱管１３１内で加熱され、出湯配管３３へ導出される。そして、給水配管３２からバイパス管３４を介して出湯配管３３に供給される水と混合されて設定温度に調整され、湯水栓や浴槽などの温水利用先へ供給される。
【００２３】
給水配管３２には、熱交換器１２へ供給される水の流量を検知する水量センサ２３と、熱交換器１３への水の供給量を調整するための水量調整弁２４とが設けられている。また、給水配管３２とバイパス管３４との接続部には、給水配管３２から出湯配管３３への水の供給量を調整するためのバイパス弁２５が設けられている。さらに、出湯配管３３には、熱交換器１３から供給される湯とバイパス管３４から供給される水との混合水の温度を検知する出湯温センサ２６が設けられており、出湯温センサ２６の検知温度に応じて水量調整弁２４およびバイパス弁２５の開度を調整することで、温水利用先への出湯温が調整される。
【００２４】
排気管１０２における燃焼室１００との連結部近傍位置には、バーナ１２から放出されて排気管１０２内へ導かれた燃焼排気中のＣＯ濃度を検知するＣＯセンサ２７が設けられている。
【００２５】
上記ファンモータ１１０、回転数センサ、点火プラグ１４、フレームロッド１５、元ガス電磁弁２１、ガス比例弁２２、水量センサ２３、水量調整弁２４、バイパス弁２５、出湯温センサ２６、および、ＣＯセンサ２７は、図示しない電気配線を通じて制御回路２０に接続されている。さらに、制御回路２０には、燃焼装置１を遠隔操作するための操作端末４が電気配線或いは無線により接続されている。
【００２６】
制御回路２０は、水量センサ２３の検知水量が最低作動水量に達したか否かを判定する稼働判定部、給排気ファン１１の作動および停止を行う給排気実行部、バーナ１２の点火や消火を行う点消火実行部、出湯温センサ２６の検知温度に応じてバーナ１２の燃焼量を調整する燃焼量調整部、バーナ１２の燃焼量に応じてファンモータ１１０の回転数を調整する給排気量調整部等の回路構成を有している。
【００２７】
さらに、制御回路２０は、ファンモータ１１０の通電電流に基づいて排気管１０２の閉塞状態を判定する閉塞判定部、排気管１０２が閉塞状態であると判定された場合にバーナ１２の燃焼を禁止する閉塞時点火制限機能の実行部、ＣＯセンサ２７により検知されたＣＯ濃度が基準濃度より高いＣＯ濃度異常となったか否かおよび所定濃度まで上昇したか否かを判定するＣＯ濃度判定部、ＣＯ濃度に応じてファンモータ１１０の回転数を補正するファン回転数補正部、ＣＯ濃度異常と判定された場合にバーナ１２の燃焼を自動停止させる自動消火機能の実行部、ＣＯ濃度異常と判定されたＣＯ異常回数を計数する異常計数部、ＣＯ異常回数が所定回数に達したか否かを判定する異常回数判定部、ＣＯ異常回数が所定回数に達した場合にバーナ１２の燃焼を禁止する燃焼禁止機能の実行部、排気管１０２が閉塞状態であることやバーナ１２の燃焼が自動停止されたことを操作端末４から報知させる異常報知部、燃焼禁止機能を有効にする通常モードと燃焼禁止機能を無効にする検査モードとを選択的に切替可能なモード切替部、燃焼禁止機能が所定時間継続して無効にされている場合に自動で燃焼禁止機能を有効に戻すモード自動復帰機能の実行部等の回路構成を有している。
【００２８】
また、制御回路２０には、上記モードを手動で切り替えるための切替指示部としての切替スイッチ４１と、バーナ１２の燃焼禁止状態を手動で解除するための解除指示部としての解除スイッチ４２とが設けられている。これら切替スイッチ４１および解除スイッチ４２は、装置筐体１０の内部で且つ前板を開いた状態でのみ操作可能な位置に組み込まれている。
【００２９】
図２に示すように、制御回路２０は、操作端末４にて運転開始の指示がなされると、給湯開始の指示として、水量センサ２３の検知水量が最低作動水量以上になったか否かの監視を開始する。そして、水量センサ２３の検知水量が最低作動水量に達すれば、給排気ファン１１を予め設定された閉塞検知回転数にて作動させ、そのときのファンモータ１１０の通電電流（ファン電流）が基準電流より低いか否かを判定する（ＳＴ１〜ＳＴ２）。
【００３０】
その結果、ファン電流が基準電流より低ければ、排気管１０２が閉塞状態であることを操作端末４の図示しない音声出力部や表示部から報知させると共に、バーナ１２の燃焼を禁止する。そして、装置筐体１０内部の解除スイッチ４２によって燃焼禁止の解除指示がなされるのを待って、再び、ＳＴ１のステップを行う（ＳＴ３〜ＳＴ５）。
【００３１】
一方、ＳＴ２の閉塞判定を行った結果、ファンモータ１１０のファン電流が基準電流以上であれば（ＳＴ３のステップでＹｅｓ）、排気管１０２が閉塞していない正常状態であるから、給排気ファン１１を点火時の設定回転数に調整すると共に点火プラグ１４から火花放電させ、さらに元ガス電磁弁２１を開いてバーナ１２へのガスの供給を開始する。これにより、バーナ１２が点火される。また、バーナ１２が点火されると、出湯温センサ２６の検知温度に応じてガス比例弁２２の開度を調整し、バーナ１２の燃焼量を調整すると共に、図示しない回転数センサの検知回転数がバーナ１２の燃焼量に対応する目標回転数と一致するよう、ファンモータ１１０の回転数を調整する。これにより、バーナ１２から燃焼室１００内へ燃焼排気の供給が開始される（ＳＴ６）。
【００３２】
バーナ１２の燃焼が開始された際に、装置筐体１０内部の切替スイッチ４１によって検査モードへの切替操作がなされていない場合、即ち、「通常モード」が選択され、バーナ１２の燃焼禁止機能が有効である場合は、燃焼排気中のＣＯ濃度の異常判定として、ＣＯセンサ２７によって検知されたＣＯ濃度が基準濃度より高いか否か、および、ＣＯ濃度が所定濃度に達したか否かを判定する（ＳＴ７〜ＳＴ８）。
【００３３】
その結果、ＣＯ濃度が基準濃度以下であり、且つ、所定濃度にも達していなければ、給湯停止の指示として、水量センサ２３の検知水量が最低作動水量未満になったか否かを監視する。そして、検知水量が最低作動水量未満になれば、元ガス電磁弁２１を閉じてバーナ１２を消火させ、運転を終了する（ＳＴ９〜ＳＴ１２）。
【００３４】
一方、ＳＴ８のＣＯ濃度異常判定を行った結果、ＣＯ濃度が基準濃度以下ではあるが、所定濃度まで上昇している場合（ＳＴ１０のステップでＹｅｓ）は、ファンモータ１１０の回転数を上げてバーナ１２への空気の供給量を増加させるファン回転数の補正を行う（ＳＴ１３）。
【００３５】
また、ＳＴ８のＣＯ濃度異常判定を行った結果、ＣＯ濃度が基準濃度より高ければ（ＳＴ９のステップでＹｅｓ）、ＣＯ濃度異常であるとしてメモリに記憶されたＣＯ異常回数（運転開始初期状態では「０」）に「１」を加算する。そして、このときのＣＯ異常回数が所定回数Ｎ（ここでは、「３」）に達していなければ、ＣＯ濃度異常によりバーナ１２の燃焼が自動停止されたことを操作端末４の図示しない音声出力部や表示部から報知させると共に、元ガス電磁弁２１を閉じてバーナ１２を自動消火させ、再び、ＳＴ１のステップに戻る（ＳＴ１４〜ＳＴ１５）。
【００３６】
ＳＴ１からＳＴ１５のステップが繰り返された結果、ＣＯ異常回数が所定回数Ｎに達した場合（ＳＴ１４のステップでＹｅｓ）は、機器異常によりバーナ１２の燃焼が自動停止されたことを操作端末４の図示しない音声出力部や表示部から報知させると共に、元ガス電磁弁２１を閉じてバーナ１２を自動消火させ、解除スイッチ４２によって燃焼禁止の解除指示がなされるまでバーナ１２の燃焼を禁止する。そして、解除スイッチ４２によって燃焼禁止の解除指示がなされた場合は、ＣＯ異常回数を「０」にリセットし、ＳＴ１のステップに戻る（ＳＴ１６，ＳＴ５）。
【００３７】
ところで、施工時の試運転やメンテナンスを行うために装置筐体１０の前板が開かれ、切替スイッチ４１によって検査モードへの切替操作がなされた場合、即ち、「検査モード」が選択され、バーナ１２の燃焼禁止機能が無効にされた場合（ＳＴ７のステップでＹｅｓ）は、ＳＴ８のＣＯ濃度異常判定を行わないで、ＳＴ１１の給湯停止指示の判定を行う。即ち、バーナ１２の燃焼禁止機能が無効にされている場合は、ＣＯ濃度が高くなっても、ファン回転数の補正は行われないし、バーナ１２の自動消火や燃焼禁止もなされない。
【００３８】
尚、図示しないが、バーナ１２の燃焼禁止機能が無効にされた場合（ＳＴ７のステップでＹｅｓ）は、燃焼禁止機能が無効に設定された時点からの経過時間の監視を開始する。そして、上記経過時間が所定時間（例えば、２０分）に達すれば、燃焼禁止機能を有効に復帰させる。
【００３９】
このように、濃淡バーナを用いた燃焼装置の場合、燃焼室１００内に供給される空気が減少し、ガス濃度が高くなった場合だけでなく、燃焼室１００内に空気が過剰に供給されて、ガス濃度が低くなった場合においても、燃焼排気中のＣＯ濃度の上昇を招く虞があるが、上記実施の形態によれば、通常モードが選択され、燃焼禁止機能が有効となっている場合、バーナ１２の燃焼排気中のＣＯ濃度が基準値より高くなれば、バーナ１２の燃焼が禁止される。一方、検査モードが選択され、燃焼禁止機能が無効となっている場合には、バーナ１２の燃焼排気中のＣＯ濃度が基準値より高くなっても、バーナ１２の燃焼は禁止されない。これにより、施工時の試運転やメンテナンスを行う際に、意図せずバーナの燃焼が禁止されるのを防止できる。よって、安全性が高く、且つ、使い勝手も良好である。
【００４０】
特に、このものでは、切替スイッチ４１および解除スイッチ４２が装置筐体１０の内部に組み込まれており、装置筐体１０の前板を開かなければ上記モードの切替および燃焼禁止状態の解除を行うことができないから、試運転やメンテナンスではない通常運転時であるにもかかわらず、バーナ１２の燃焼禁止機能が無効にされるのを防止できる。また、運転中、バーナ１２が燃焼禁止状態になった場合に、その燃焼禁止状態が容易に解除されるのも防止できる。よって、安全性が一層高い。
【００４１】
ところで、上述したファン回転数補正機能を備えた燃焼装置の場合、給排気ファン１１の回転数の調整動作が、ＣＯ濃度の上昇に合わせた異常時のものであるのか、バーナ１２の燃焼量の変化に合わせた正常時のものであるのか特定し難い。そのため、運転中に異常判定がなされて点検修理を行った際に、異常動作の原因が完全に取り除かれず、運転再開後すぐに異常判定がなされる虞がある。しかしながら、このものでは、検査モードが選択されている場合、バーナ１２の燃焼排気中のＣＯ濃度が所定より上昇しても、装置筐体１０内への空気供給量を増加させないから、ＣＯ濃度の上昇による異常を確実に検知することが可能であるし、さらに、燃焼排気中のＣＯ濃度がさらに上昇するのも抑制できる。よって、安全性がより一層高い。
【００４２】
また、このものでは、バーナ１２の燃焼禁止機能が無効に設定されてから所定時間が経過すれば、自動で燃焼禁止機能が有効に戻されるから、燃焼禁止機能の無効から有効への切替忘れを防止できるし、燃焼禁止機能を無効から有効へ手動で戻す手間もかからない。よって、安全性がより一層高く、且つ、使い勝手も一層良好である。
【００４３】
さらに、上記燃焼装置１は、室外の空気を給気管１０１から装置筐体１０内へ取り込み、バーナ１２の燃焼排気と共に燃焼室１００を通じて排気管１０２から室外へ排出するように構成されているため、装置筐体１０の前板が開かれると、燃焼室１００内へより多くの空気が流入し、バーナ１２の燃焼排気中のＣＯ濃度の増加が顕著にあらわれる。よって、上記モードの切替機能がより有用である。
【００４４】
尚、上記実施の形態では、検査モードが選択されている場合は、ＣＯ濃度異常の判定（ＳＴ８のステップ）自体を行わないことで、燃焼排気中のＣＯ濃度にかかわらずバーナ１２の燃焼が禁止されないようにしているが、検査モードが選択されている場合は、燃焼排気中のＣＯ濃度が基準濃度より高くなっても、ＣＯ異常回数の計数を行わないことで、バーナ１２の燃焼が禁止されないように構成されたものであってもよい。
【００４５】
具体的には、図３に示すように、バーナ１２の燃焼が開始されると（ＳＴ６）、上述したＳＴ８のＣＯ濃度異常判定を行う。そして、ＣＯ濃度が基準濃度より高い場合（ＳＴ９のステップでＹｅｓ）に、切替スイッチ４１によって「通常モード」が選択され、バーナ１２の燃焼禁止機能が有効であれば（ＳＴ２１のステップでＮｏ）、上述したＳＴ１４のＣＯ異常回数の判定を行う。一方、切替スイッチ４１によって「検査モード」が選択され、バーナ１２の燃焼禁止機能が無効であれば（ＳＴ２１のステップでＹｅｓ）、ＣＯ異常回数の判定を行わないで、上述したＳＴ１５のＣＯ濃度異常の報知およびバーナ１２の自動消火を行う。これにより、上記実施形態と同様の作用効果が発揮される。
【００４６】
また、上記実施の形態では、通常モードが選択された状態でバーナ１２の燃焼排気中のＣＯ濃度が基準濃度より高くなれば、ＣＯ濃度異常を報知させると共に、バーナ１２を自動消火させるように構成されているが、通常モードが選択された状態でバーナ１２の燃焼排気中のＣＯ濃度が基準濃度より高くなった場合は、ＣＯ濃度異常の報知のみ行い、その後、給湯停止の指示がなされた段階でバーナ１２を消火させるように構成されたものであってもよい。
【００４７】
ＣＯセンサ２７は、排気管１０２における燃焼室１００との連結部近傍位置に設けられたが、バーナ１２から放出された燃焼排気中のＣＯ濃度を正確に検知可能な位置であれば、燃焼室１００内に設けられてもよいし、排気管１０２の上記連結部よりさらに下流側の位置に設けられてもよい。
【００４８】
本発明は、上述した燃焼装置１のような強制給排気式（ＦＦ式）の燃焼装置に限らず、室内の空気を装置筐体１０に開設された給気口から装置筐体１０内へ取り込み、バーナ２１の燃焼排気と共に燃焼室１００を通じて排気管１０２から室外へ排出するように構成された強制排気式（ＦＥ式）の燃焼装置にも適用できる。また、本発明は、給湯器に限らず、給湯暖房用熱源機や風呂給湯器などの燃焼装置にも適用できる。
【符号の説明】
【００４９】
１      燃焼装置
１０    装置筐体
１１    給排気ファン
１２    バーナ
１３    熱交換器
２０    制御回路
２７    ＣＯセンサ
【図１】
2015078781.tif 000003
【図２】
2015078781.tif 000004
【図３】
2015078781.tif 000005
【図４】
2015078781.tif 000006